(57)【要約】  心理的／精神的及び神経学的な障害を治療するための、２つの音声チャンネルを有する音生成システムであって、２つの第１の音声信号であって、そのそれぞれが各音声チャンネル（Ｃｈ１、Ｃｈ２）のためのものであり、そのそれぞれがランダムノイズであり、相互に相関を持たず、相対基準音レベルを規定するような２つの第１の音声信号（Ｇ）を生成する手段（Ｇ／Ｍ、ＭＤ、ＤＣ、ＭＸ）を備える。音生成システムは、相対基準音レベルに対して＋／−１２ｄＢの範囲の振幅を持つ音レベルの第２の音声信号を、第１の音声信号の両方に追加する手段（Ｇ／Ｍ、ＭＤ、ＤＣ、ＭＸ）を備える。
2016519601.tif 000002
【特許請求の範囲】
【請求項１】
心理的／精神的及び神経学的な障害を治療するための、２つの音声チャンネルのみを有する音生成システムであって、
−２つの第１の音声信号（Ｇ）であって、そのそれぞれが各音声チャンネル（Ｃｈ１、Ｃｈ２）のためのものであり、そのそれぞれがランダムノイズであり、相互に相関を持たず、相対基準音レベルを規定するような２つの第１の音声信号（Ｇ）を生成する手段と、
−前記相対基準音レベルに対して＋／−１２ｄＢの範囲の振幅を持つ音レベルの第２の音声信号を、生成し、且つ、各前記第１の音声信号に追加し、又は、混合する手段と、
を備えることを特徴とする音生成システム。
【請求項２】
請求項１に記載の音生成システムであって、前記相対基準音レベルが平均定数に対して経時的に＋／−３ｄＢの範囲内にあることを特徴とする音生成システム。
【請求項３】
請求項１に記載の音生成システムであって、前記第１の音声信号及び／又は前記第２の音声信号を、０．１−２００Ｈｚの範囲内の１以上の周波数により、１以上の同時の振幅変調をすることにより、＋／−１２ｄＢの範囲内で振幅変調する（ＭＤ）手段を更に備えることを特徴とする音生成システム。
【請求項４】
請求項１乃至３の何れか１項に記載の音生成システムであって、
前記ランダムノイズがピンク、ホワイト又はガウシアン・タイプのものであることを特徴とする音生成システム。
【請求項５】
請求項３又は４に記載の音生成システムであって、
前記振幅変調における変調周波数は、０．１−７．９Ｈｚの範囲の周波数、及び／又は、８−１４Ｈｚの範囲の周波数、及び／又は、３０−４２Ｈｚの範囲の周波数を含むことを特徴とする音生成システム。
【請求項６】
請求項１乃至５の何れか１項に記載の音生成システムであって、
前記第１の音声信号及び前記第２の音声信号を記憶する手段（Ｍ）、及び／又は、
前記第２の音声信号を前記第１の音声信号に追加し又は混合する手段（ＭＸ）と、
前記２つの音声チャンネルのみを通して前記追加又は前記混合後の前記音声信号を再生する手段（Ｔ）と、
を備えることを特徴とする音生成システム。
【請求項７】
心理的／精神的及び神経学的な障害を治療するための２つの音声信号のみの音生成のための方法であって、
（１）２つの第１の音声信号（Ｇ）であって、そのそれぞれが各音声チャンネル（Ｃｈ１、Ｃｈ２）のためのものであり、そのそれぞれがランダムノイズであり、相互に相関を持たず、相対基準音レベルを規定するような２つの第１の音声信号（Ｇ）を生成するステップ、
（２）前記相対基準音レベルに対して＋／−１２ｄＢの範囲の振幅を持つ音レベルの第２の音声信号を生成するステップと、
（４）前記第２の音声信号を、前記２つの第１の音声信号の各々に追加し、又は、混合するステップと、
を有することを特徴とする方法。
【請求項８】
請求項７に記載の方法であって、前述のステップ（１、２、４）によって得られた前記２つの音声信号のみを記憶する及び／又は再生するステップ（５、６）を更に備えることを特徴とする方法。
【請求項９】
請求項７又は８に記載の方法であって、前記ランダムノイズがピンク、ホワイト、又はガウシアン・タイプであって、及び／又は、前記第１の音声信号及び／又は前記第２の音声信号が前記追加／混合ステップより前に振幅変調される（３）ことを特徴とする方法。
【請求項１０】
請求項７乃至９の何れか１項に記載の方法であって、前記第１の音声信号及び／又は前記第２の音声信号を、０．１−２００Ｈｚの範囲内の１以上の周波数により、１以上の同時の振幅変調をすることにより、＋／−１２ｄＢの範囲内で振幅変調する前記ステップ（３）を更に備えることを特徴とする方法。
【請求項１１】
請求項７乃至１０の何れか１項に記載の方法であって、前記第２の信号は、２つの分離したチャンネルを有するステレオ信号であって、各チャンネルが前記第１の音声信号のうちの１つに追加され、又は、混合されるステレオ信号を備えることを特徴とする方法。
【請求項１２】
コンピュータプログラムであって、前記プログラムがコンピュータで実行されている時、請求項７乃至１１の何れか１項の全てのステップ（（１、２、３、４、５）、（１、２、３、４、６））を実行するために採用されたプログラムコードを備えることを特徴とするコンピュータプログラム。
【請求項１３】
心理的／精神的及び神経学的な障害を治療するための２つの分離したチャンネル（Ｃｈ１、Ｃｈ２）のみに関する１組の電気信号又はコード化されたバイフォニック音声信号であって、以下によって定義される：
−２つの第１の音声信号であって、そのそれぞれが各音声チャンネル（Ｃｈ１、Ｃｈ２）のためのものであり、そのそれぞれがランダムノイズであり、相互に相関を持たず、相対基準音レベルを規定するような２つの第１の音声信号；
−前記相対基準音レベルに対して＋／−１２ｄＢの範囲の振幅を持つ音レベルの任意の第２の音声信号であって、前記第１の音声信号に追加され、又は、混合されている第２の音声信号。
【請求項１４】
請求項１３に記載の前記バイフォニック音声信号が記憶されることを特徴とする記憶装置。
【発明の詳細な説明】
【技術分野】
【０００１】
本発明は、２つの音声チャンネルを有する音生成システム関し、心理的／精神的及び神経学的な障害、例えば、睡眠障害／不眠症、不安、パニック発作、憂鬱、強迫性障害及び精神分裂病、そして、頭痛／偏頭痛、耳鳴り、複視、痴呆、自閉症スペクトラム、アルツハイマー病及びピック病のような神経障害の治療はもちろん、神経皮質の増加、トップダウン型／ボトムアップ型コミュニケーション及び機能障害性の神経パターンを削除及びリセットする相関ループをもたらし、健常者の身体的及び心理的な最大限の能力を増加するために設計された。
【０００２】
背景雑音を抑圧したり、オーディオシステムの音再生に対する聴く者の知覚を改善するためのオーディオシステムが知られている。これらのシステムは、自動車のような輸送手段のために発展してきた。
【０００３】
これらのオーディオシステムは、背景雑音を適切に事前処理してから、同じオーディオシステムにより再生することを通して、背景雑音を拾い上げて、それを消去することを基本とする。
【０００４】
１以上のマイクが、自動車の客室の雑音を拾い上げるために使用され得る。様々なマイクによって拾い上げられる信号が相互に関連することは、信号が同じ雑音環境で、すなわち、同じ雑音源から拾い上げられるため、明白である。
【０００５】
これらのオーディオシステムの例は、ＵＳ２００３２１９１３７、ＷＯ０２０７６１４８、ＪＰ２００９２３２２０４に記載されている。
【０００６】
いずれにせよ、これらのシステムは、聴く者による雑音の知覚を生じさせるためではなく、抑圧するために設計されている。
【背景技術】
【０００７】
音信号と脳活動との間の相互作用に関して、多数の研究が行われ、発表されてきた。
【０００８】
音を生成するための異なる技術が知られており、それらの技術は、皮質神経集団の間の伝達能力を増加し、機能障害神経回路を除去することが可能である。
【０００９】
明らかな結果をもたらすホロフォニクス音(holophonic sound)を生成するシステムがＥＰ０９１９１０９に記載されている。
【００１０】
このシステムを用いた試験中、多数の心理的／精神医学及び神経学障害の下で、脳機能との相互作用に対する驚くべき可能性が明らかとなった。
【先行技術文献】
【非特許文献】
【００１１】
【非特許文献１】科学論文−Aiello G., Finsterle G. (2009），“The use of psychoacoustical transitional sessions in patients suffering of moderate and severe Alzheimer's disease." ACTIVITAS NERVOSA SUPERIOR REDIVIVA, vol. 51, p.36-45, ISSN: 1337-933X
【非特許文献２】Finsterle G. (2007), L'lncanto di Orfeo e i sincronismi neurali corticali. Introduzione alla Psico-Acustica Transizionale, in AA.VV., La condivisione del Benessere. II contributo della Psicologia Positiva, a cura di Delle Fave A., pp. 208-230, Franco Angeli, Milano, 2007, ISBN: 978-88-464-8490-1.  ミラノの州立大学の医学部によって採用された教科書は、器械及び心理測定の分析を通じて、−ＥＰ０９１９１０９に記載された−前述のシステムによって生成された音信号と脳機能とが相互作用を起こすという、前述の可能性を示している。
【００１２】
しかしながら、このシステムは４つの異なる音源、すなわち、４つの音響的拡散器の使用を提供する。
【発明の概要】
【発明が解決しようとする課題】
【００１３】
本発明の目的は、以前のものより安価で、さらに持ち運びが可能な音生成システムを提供することである。
【課題を解決するための手段】
【００１４】
本発明の主題は、請求項１に従うと、２つの音声チャンネルを備える音生成システムである。
【００１５】
更に、本発明の主題は、前述の音生成システムによって得られる符号化信号である。
【００１６】
本発明の更なる主題は、前記符号化信号を記憶する記憶手段である。
【００１７】
従属請求項には、発明の好適実施形態を記載している。請求項は、本明細書の必須部分を構成する。
【００１８】
発明の更なる特徴及び利点は、好適であるが排他的ではない実施形態の詳述の観点からより明白となる。ここで、実施形態は、２つの音声チャンネルを備える音生成システムに係るものであり、図１を用いて限定されない例として示される。
【図面の簡単な説明】
【００１９】
【図１】図１は、２つの音声チャンネルを備える前記音生成システムを模式的に表している。
【図２】図２は、前述のシステムにおける／によって実施される方法の好適な変形のブロック図を表している。
【００２０】
破線の部分は任意として意図されている。
【００２１】
図中の同一の参照符号及び文字は、同一の構成要素又は成分であるとみなす。
【発明を実施するための形態】
【００２２】
本発明によるシステムは、図１を参照すると、
−２つの第１の音声信号（Ｇ）であって、そのそれぞれが各音声チャンネル（Ｃｈ１、Ｃｈ２）のためのものであり、そのそれぞれがランダムノイズであり、２つの第１の音声信号は相互に相関を持たず、相対基準音レベルを規定するような２つの第１の音声信号（Ｇ）を生成する手段と、
−前記相対基準音レベルに対して＋／−１２ｄＢの範囲の振幅を持つ音レベルの第２のモノラル又はステレオの音声信号を、各前記第１の音声信号に追加する手段と、
を備える。
【００２３】
２つのチャンネルのみによって、脳機能との相互作用の分野における前述のホロフォニクス音生成システム―ＥＰ０９１９１０９に記載―によって得られる同等の効果を再現することが可能である。
【００２４】
相対音レベルは、経時的に平均定数に対して経時的に＋／−３ｄＢの範囲内であり、且つ／又は、両耳によっては、同一の音レベルにあると知覚されることが意図されている。片耳又は両耳に聴覚障害がある患者の場合、２つの第１の信号の相対基準レベルは、適切に修正され得る。これは、患者の難聴を補償するために、適切な手段をシステムに提供出来ることを意味する。
【００２５】
明らかに、これはまた第２の信号の音レベルに反映される。
【００２６】
同様に、もし、患者が耳鳴りに苦しむなら、１以上のノッチフィルタが提供され、適切に調整され得る。
【００２７】
システムによって実行されるステップは以下に記載されている（図２）。
−（１）２つの第１の音声信号（Ｇ）であって、そのそれぞれが各音声チャンネル（Ｃｈ１、Ｃｈ２）のためのものであり、そのそれぞれがランダムノイズであり、相互に相関を持たず、好ましくは経時的に一定の振幅（＋／−３ｄＢ）を有する相対基準音レベルを規定するような、例えば、ピンクノイズタイプの第１の音声信号（Ｇ）を生成するステップと、
−（２）前記相対基準音レベルに対して＋／−１２ｄＢの範囲の振幅を持つ音レベルの第２の音声信号を生成するステップと、
−（４）前記第２の音声信号を、前記２つの第１の音声信号の各々に追加し、又は、混合するステップと、
を有する。
【００２８】
得られる信号は、適切に記憶され（５）、及び／又は再生され得る（６）。
【００２９】
第１の信号は同一のタイプ、例えば、両方ともピンクノイズタイプ又は両方ともガウス性タイプ等であることが好ましい。
【００３０】
任意に、前記第１の音声信号及び／又は前記第２の音声信号を、０．１−２００Ｈｚの範囲内の１以上の周波数により、＋／−１２ｄＢの範囲内で振幅変調する（３）。
【００３１】
本発明の好適な変形によると、第１の信号及び第２の信号は、振幅変調されず、第２の信号はモノラルである。第１の信号が頭の周りで知覚される一方で、第２の信号は、頭の"真ん中"で知覚される。
【００３２】
本発明の更なる好適な変形によると、第１の信号は、振幅変調されず、一方で、第２の信号は、０．１−２００Ｈｚの周波数により、経時的に＋／−１２ｄＢの範囲で振幅が変動するように振幅変調される。
【００３３】
特に、振幅変調された信号は、１つの周波数によって変調されたものであってもよいし、幾つかの同時且つ別々の複数の変調周波数により変調されたものであってもよい。
【００３４】
いずれにせよ、前記第１の信号によって定義された相対音レベルは、経時的な平均のレベルである。
【００３５】
本発明の更なる好適な変形によると、第１の信号及び第２の信号は、第１の信号と第２の信号との間で異なる周波数、例えば、０．５Ｈｚ、８Ｈｚ、４０Ｈｚにより、最大振幅ピーク対最小振幅ピークの比が常に前述の相対基準レベルに対して＋／−１２ｄＢの間に入るように振幅変調される。
【００３６】
ゆえに、好適な複数の変調周波数は、何れも、０．１−７．９Ｈｚの範囲（デルタ及びシータ脳周波数範囲）及び／又は８−１４Ｈｚの範囲（アルファ脳周波数範囲）及び／又は３０−４２Ｈｚの範囲（ガンマ脳周波数範囲）にある。
【００３７】
実行された研究は、脳において"システムリセット"を起こす周波数として、約０．５及び８Ｈｚの周波数を確認した。これは、先天的なことであると考えられ、また、本発明により引き起こせることである。これは、４つのチャンネルを有する前述のシステムによって発見されたことと同様である。
【００３８】
その代わりに、４０Ｈｚによる周波数変調は、脳におけるドーパミンの生産を増やす。
【００３９】
同様の効果が、マウスの脳に、更なる操作の後、再度４０Ｈｚでパルス光を照射することによって最近得られた。
【００４０】
虐待をせずに同様の結果を得ることを可能とする本システムによって得られる利点は、明らかである。
【００４１】
第２の信号は一般的に言及されてもよいが、モノラル信号（すなわち、２つの第１の信号の両方に、同じように、追加又は混合される単一の信号）、又は、ステレオ信号のどちらにもなり得る。これらは、相互に相関を有する２つの信号であり、２つの第１の信号に個々に追加される。（ステレオペアの）一方のチャンネルが第１の信号のうちの一方に追加され、（ステレオペアの）他方のチャンネルが２つの第１の信号の他方に追加される。
【００４２】
取得されてから、それぞれがチャネルＣｈ１、Ｃｈ２で同時に再生することとなる２つの信号は、ステレオ信号とは異なり、相互に相関していないので、これを、一般的にバイフォニック信号と称することができる。
【００４３】
発明の好適な実施形態では、図１に関して、再生システムは２つのチャンネルを有する音楽再生装置を利用する。この装置は、
−オーディオトラックを記憶する手段、
−前記オーディオトラックをデコードする手段ＤＣ、
−１組の変換器のみ（これは、既知の１組の拡声器又はステレオヘッドホンであってもよい）
を備える。
【００４４】
任意に、２つのチャンネルを混合する手段ＭＸ、及び／又は、オーディオトラックの変調手段ＭＤが、以下に記載されるように、存在し得る。
【００４５】
システムの好適な変形によると、第１の信号及び第２の信号は両方とも、お互いに独立してモノラルサウンドトラックとして記憶される。また、特定のニーズに応じて、選択され、周波数変調及び振幅変調され得る。更に、システムは、第１の信号に関連する前記トラック及び第２の信号に関連する前記トラック（任意でステレオ）を同時に再生する手段を備える。この場合、図１に示すように、全てのブロック及び両方の枝が別々に存在している。
【００４６】
発明の別の好適な変形によると、システムは、すでに振幅変調された複数の第１及び第２の信号がオーディオトラックの形で記憶された記憶手段を備える。更に、システムは、上述のように、複数の第１の信号に関連した複数の前記トラック及び前記第２の信号に関連したトラックを同時に再生する手段を備える。この場合、図１に示すようなブロックＭＤは存在せず、両方の枝は別々に存在している。
【００４７】
発明の更なる別の好適な変形によると、前述の周波数のうちの１つによって既に任意で周波数変調されている前記第２の信号に前記第１の信号を予め追加した結果であるバイフォニック・トラックを記憶する手段を備える。この場合、図１の破線は存在せず、システムは、ゆえに、２つのチャンネルを有するＭ部、ＤＣ部及びＴ１／Ｔ２部のみから構成される。更に、オーディオトラックが本方法によって得られる限りにおいては、音信号、電気信号又は任意の既知の符号化方式により符号化されたデジタル信号の何れであるかにかかわらず、これらは、本発明の一部である。
【００４８】
オーディオトラックは、例えば、ＭＰ３、ＷＡＷ又はＡＣ３フォーマット等の、既知の方法でコード化され得る。これは、２つの音声チャンネルのみに関連した信号が、別々に符号化され記憶されてもよいし、通常のステレオ音楽信号の場合と同様に、一対のバイフォニック信号として符号化され記憶されてもよいことを意味する。
【００４９】
しかしながら、音楽トラックの一般的なステレオオーディオトラックの場合とは違い、これらが、相互に相関を有する信号ではないことは明らかである。
【００５０】
本発明は、プログラムがコンピュータで実行されている時に、方法の１以上のステップを実行するコード手段を備えるコンピュータプログラムによって有利に実現され得る。従って、保護の範囲は、前記コンピュータプログラムにも、プログラムがコンピュータで実行されている時に、方法の１以上のステップを実行するプログラムコード手段を備えるコンピュータ読み取り媒体にまでも拡大する。
【００５１】
記載された限定的でない実施例に対する実施形態の変形は、本発明の保護の範囲から逸脱することなく、可能であり、本発明は、当業者にとっての全ての均等な実施形態を含む。
【００５２】
上記実施形態から、当業者は、更なる構造上の細部を追加することなく、発明の目的を実行することが可能である。様々な好適な実施形態で説明された構成要素及び特徴は、しかしながら、本出願の保護範囲から逸脱することなく結合され得る。
【符号の説明】
【００５３】
Ｍ  記憶手段
Ｇ  音声信号
ＭＤ  調整手段
ＤＣ  デコード手段
ＭＸ  混合手段
Ｔ１  記憶手段
Ｔ２  再生手段
【図１】
2016519601.tif 000003
【図２】
2016519601.tif 000004
【国際調査報告】
2016519601.tif 000005
2016519601.tif 000006